(57)【要約】【課題】  小型化を図ることが可能であるとともに、均一且つむらなく止水剤を塗布することが可能なワイヤハーネスの防水処理方法及び防水処理装置を提供する。【解決手段】  第１工程〜第３工程を含む。第１工程は、電線１９を複数並べてなる電線群４を１又は複数列形成する。第２工程は、シリンジ１１側に位置する第１プレート７、及びこの第１プレート７に対向する第２プレート８により、シリンジ１１内に止水剤３を充填したディスペンサ２を電線群４の数に対応する分だけ挟み込む。第３工程は、第２プレート８の位置を固定した状態で第１プレート７を第２プレート８側に移動させ止水剤３の押し出しを行うとともに、第１プレート７の移動に伴い吐出口２４が移動するノズル９を介して止水剤５を電線群４の両側に塗布する。【選択図】    図１
2006202508.tif 000002
【特許請求の範囲】
【請求項１】
電線を複数並べてなる電線群を１又は複数列形成する第１工程と、
所定長さのノズルを複数有するとともにシリンジ側に位置する第１プレート、及び該第１プレートに対向するとともにピストン側に位置する第２プレートにより、前記シリンジ内に止水剤を充填したディスペンサを前記電線群の数に対応する分だけ挟み込む第２工程と、
前記第２プレートの位置を固定した状態で前記第１プレートを前記第２プレート側に移動させ前記止水剤の押し出しを行うとともに、前記第１プレートの移動に伴い吐出口が移動する前記ノズルを介して前記止水剤を前記電線群の両側に塗布する第３工程と、
を含む
ことを特徴とするワイヤハーネスの防水処理方法。
【請求項２】
請求項１に記載のワイヤハーネスの防水処理方法において、
各前記シリンジ内に、対応する前記電線群に必要な量だけの前記止水剤を充填する
ことを特徴とするワイヤハーネスの防水処理方法。
【請求項３】
電線を複数並べてなる電線群の１又は複数列に対して該電線群の両側に所定の長さで位置するとともに、前記電線群に対向する吐出口を有する複数のノズルと、
シリンジ及びピストンを有するディスペンサと、
前記ノズルを一括して取り付けるとともに前記シリンジ側に位置する第１プレートと、
前記ピストン側に位置するとともに前記第１プレートに対向する第２プレートと、
該第２プレートの位置を固定するとともに前記第１プレートを前記第２プレート側に移動させて前記シリンジ内に充填した止水剤を押し出しする押し出し機構と、
を備える
ことを特徴とするワイヤハーネスの防水処理装置。
【請求項４】
請求項３に記載のワイヤハーネスの防水処理装置において、
前記シリンジ内に、対応する前記電線群に必要な量だけの前記止水剤を充填する止水剤充填装置を更に備える
ことを特徴とするワイヤハーネスの防水処理装置。
【請求項５】
請求項３又は請求項４に記載のワイヤハーネスの防水処理装置において、
前記ノズルを撓み可能な形状に形成する
ことを特徴とするワイヤハーネスの防水処理装置。
【発明の詳細な説明】
【技術分野】
【０００１】
本発明は、ワイヤハーネスに防水処理を施すための方法、及び、ワイヤハーネスに防水処理を施すための装置に関する。
【背景技術】
【０００２】
一対のノズルの間隔を電線の太さに応じつつ電線の並ぶ方向に移動させることで、異なる太さの電線を含む一列の電線群に対し止水剤を塗布することが可能な装置及び方法が下記特許文献１に開示されている。
【特許文献１】特開２００１−２４３５８号公報
【発明の開示】
【発明が解決しようとする課題】
【０００３】
ところで、上記従来技術にあっては、異なる太さの電線を一列に並べて電線群を形成し、この電線群に止水剤を塗布する装置及び方法であることから、次のような問題点を有している。すなわち、電線の種類が多く、また、電線の種類毎に本数が多くなるといった場合には、一対のノズルの長さが長くなり、この結果、ノズルを移動させる機構が大型化してしまうという問題点を有している。
【０００４】
また、上記従来技術にあっては、電線群における電線の太さが異なることから、止水剤の塗布量を制御しなければ均一且つむらなく止水剤を塗布することができないという問題点を有している。
【０００５】
さらに、上記従来技術にあっては、電線群における電線の太さが異なることから、電線の種類毎にノズルの間隔を広げる機構を必要として、より一層大型化してしまうという問題点を有している。
【０００６】
本発明は、上述した事情に鑑みてなされたもので、小型化を図ることが可能であるとともに、均一且つむらなく止水剤を塗布することが可能なワイヤハーネスの防水処理方法及び防水処理装置を提供することを課題とする。
【課題を解決するための手段】
【０００７】
上記課題を解決するためになされた請求項１記載の本発明のワイヤハーネスの防水処理方法は、電線を複数並べてなる電線群を１又は複数列形成する第１工程と、所定長さのノズルを複数有するとともにシリンジ側に位置する第１プレート、及び該第１プレートに対向するとともにピストン側に位置する第２プレートにより、前記シリンジ内に止水剤を充填したディスペンサを前記電線群の数に対応する分だけ挟み込む第２工程と、前記第２プレートの位置を固定した状態で前記第１プレートを前記第２プレート側に移動させ前記止水剤の押し出しを行うとともに、前記第１プレートの移動に伴い吐出口が移動する前記ノズルを介して前記止水剤を前記電線群の両側に塗布する第３工程と、を含むことを特徴としている。
【０００８】
このような特徴を有する本発明によれば、第１工程で例えば電線の太さ毎に電線群の形成を行う。同じ太さ又はほぼ同じ太さの電線であれば、電線の数に応じて１又は複数列の電線群を形成し、太さが異なる電線であれば、太さ毎に複数列の電線群を形成する。電線群を形成した後の第２工程では、シリンジ内に止水剤を充填したディスペンサを第１プレート及び第２プレートによって挟み込み、その後の第３工程では、シリンジ内の止水剤を第１プレートの移動によって押し出して、電線群の両側に止水剤の塗布を行う。ディスペンサは、通常、シリンジ側を固定してピストンを移動させ、これによってシリンジ内の充填物を押し出すような使い方をするが、本発明では装置全体の小型化を図るために、ピストン側を固定してシリンジを移動させる方法を採用する。具体的には、ピストン側に位置する第２プレートの位置を固定した状態で第１プレートを第２プレート側に移動させ止水剤の押し出しを行うとともに、第１プレートの移動に伴って止水剤を吐出するノズルを電線群の幅方向に移動させる、という方法を採用する。このような本発明の方法を採用することにより、第２プレートよりも上に移動するものはなく、結果、装置全体の小型化を図ることが可能になる。また、本発明の方法を採用することにより、装置構成や機構の簡素化を図ることが可能になる。
【０００９】
請求項２記載の本発明のワイヤハーネスの防水処理方法は、請求項１に記載のワイヤハーネスの防水処理方法において、各前記シリンジ内に、対応する前記電線群に必要な量だけの前記止水剤を充填することを特徴としている。
【００１０】
このような特徴を有する本発明によれば、電線群に必要な量だけの止水剤を充填すると、ピストン位置がディスペンサによって異なるようになる。この状態で第１プレートを第２プレート側に移動させると、ピストンが第２プレートに当接した時点から止水剤の押し出しが開始される。従って、電線群における電線の本数を一致させなくとも効率良く止水剤の塗布を行うことが可能になる。本発明によれば、止水剤の無駄打ちを防止することが可能になる。
【００１１】
上記課題を解決するためになされた請求項３記載の本発明のワイヤハーネスの防水処理装置は、電線を複数並べてなる電線群の１又は複数列に対して該電線群の両側に所定の長さで位置するとともに、前記電線群に対向する吐出口を有する複数のノズルと、シリンジ及びピストンを有するディスペンサと、前記ノズルを一括して取り付けるとともに前記シリンジ側に位置する第１プレートと、前記ピストン側に位置するとともに前記第１プレートに対向する第２プレートと、該第２プレートの位置を固定するとともに前記第１プレートを前記第２プレート側に移動させて前記シリンジ内に充填した止水剤を押し出しする押し出し機構と、を備えることを特徴としている。
【００１２】
このような特徴を有する本発明によれば、請求項１の防水処理方法を採用するのに好適な装置であり、装置全体の小型化を図ることや、装置構成及び機構の簡素化を図ることが可能になる。
【００１３】
請求項４記載の本発明のワイヤハーネスの防水処理装置は、請求項３に記載のワイヤハーネスの防水処理装置において、前記シリンジ内に、対応する前記電線群に必要な量だけの前記止水剤を充填する止水剤充填装置を更に備えることを特徴としている。
【００１４】
このような特徴を有する本発明によれば、請求項２の防水処理方法を採用するのに好適な装置であり、止水剤の無駄打ちを防止することが可能になる。また、本発明によれば、塗布量の変更を容易にすることや、正確な量を塗布することが可能になる。
【００１５】
請求項５記載の本発明のワイヤハーネスの防水処理装置は、請求項３又は請求項４に記載のワイヤハーネスの防水処理装置において、前記ノズルを撓み可能な形状に形成することを特徴としている。
【００１６】
このような特徴を有する本発明によれば、吐出口を極力電線群に近づけて止水剤を塗布することが可能になる。また、電線群における電線位置のばらつきを吸収することも可能になる。
【発明の効果】
【００１７】
請求項１、３に記載された本発明によれば、小型化を図ることができるとともに、均一且つむらなく止水剤を塗布することができるという効果を奏する。また、請求項２、４、５に記載された本発明によれば、効率良く止水剤の塗布を行うことができるという効果を奏する。
【発明を実施するための最良の形態】
【００１８】
以下、図面を参照しながら説明する。
図１は本発明のワイヤハーネスの防水処理方法及び防水処理装置の一実施の形態を示す模式的な説明図である。また、図２は電線群を形成した状態の模式的な説明図、図３はシリンジ内に止水剤を充填している途中状態の模式的な説明図、図４はディスペンサの模式的な説明図、図５はディスペンサを第１プレートに取り付けた状態の模式的な説明図、図６はディスペンサを第１プレートと第２プレートとの間に挟み込むとともに、ノズルを電線群に対してセットした状態の模式的な説明図、図７は電線群に止水剤を塗布した状態の模式的な説明図、図８は防水処理を施したワイヤハーネスの模式的な説明図である。
【００１９】
図１において、引用符号１は本発明に係る防水処理装置を示している。この防水処理装置１は、複数のディスペンサ２と、各ディスペンサ２から止水剤３を押し出して複数の電線群４の各両側に止水剤５を塗布する止水剤塗布機構６とを備えて構成されている。また、防水処理装置１を構成する止水剤塗布機構６は、ディスペンサ２を挟み込む第１プレート７及び第２プレート８と、止水剤５を吐出する複数のノズル９と、止水剤３を押し出しするための押し出し機構１０とを備えて構成されている（主要な構成部材のみを挙げているものとする）。先ず、各図面を参照しながら本発明に係る防水処理装置１の各構成部材について説明する。
【００２０】
ディスペンサ２は、円筒形のシリンジ１１と、このシリンジ１１内に充填された止水剤３を押し出すためのピストン１２とを備えて構成されている。シリンジ１１は、一方の端面１３からピストン１２が差し込まれるようになっている。これに対してシリンジ１１の他方の端面１４は、平坦な面となるように形成されている。このようなシリンジ１１の他方の端面１４には、ノズル１５が一体に形成されている。ピストン１２は、止水剤３に接触する内側環状部１６と、第２プレート８に当接する外側環状部１７と、これらを繋ぐ連結軸部１８とを有している。外側環状部１７は、第２プレート８に当接する面が平坦な面となるように形成されている。ディスペンサ２は、電線群４の数の倍の数だけ備えられている。
【００２１】
止水剤３は、１液又は２液の通常に市販されている止水剤が用いられている。特に限定するものではないが、１液（シリコーン樹脂）止水剤の場合は、東レ・ダウコーニング・シリコーン（株）製のＳＥ９１８６等が一例として挙げられる。また、２液（ウレタン樹脂）止水剤の場合は、ハンツマン・アドバンスト・マテリアルズ（株）製のアラルダイトシステム７７Ｂ等が一例として挙げられる。
【００２２】
電線群４は、本形態において、２つ並んで配置されている。各電線群４は、所定の間隔をあけて図示のように略平行に並ぶように配置されている。各電線群４は、電線１９を縦方向（本形態の場合）に複数並べて形成されている。尚、同じ太さ又はほぼ同じ太さの電線１９であれば、この電線１９の数に応じて１又は複数列の電線群４が形成されるものとする。また、太さが異なる電線１９であれば、太さ毎に複数列の電線群４が形成されるものとする。本形態の各電線群４は、同じ太さの電線１９を縦方向に１０本並べることにより形成されている。
【００２３】
第１プレート７は、この表裏面となる上面及び下面が平坦な面となるように形成されている。また、第１プレート７は、帯板形状で十分な剛性を有するように形成されている。このような第１プレート７には、一対の貫通孔２０と、複数のディスペンサ装着部２１とが形成されている。第１プレート７は、一対の貫通孔２０を介してガイドピン２２を摺動するようになっている。そして、この摺動によって第２プレート８に対し近づいたり離れたりするようになっている。ディスペンサ装着部２１は、ゴムパッキン２３を有している。このようなディスペンサ装着部２１には、第１プレート７の上面側からディスペンサ２のノズル１５が差し込まれるようになっている。ディスペンサ装着部２１にノズル１５が差し込まれると、ディスペンサ２はこの部分において支持されるようになっている。ディスペンサ装着部２１は、装着するディスペンサ２の数分だけ少なくとも形成されている。
【００２４】
第１プレート７の下面には、ノズル９が複数取り付けられている。ノズル９は、ディスペンサ装着部２１の位置に合わせて取り付けられている。ノズル９は、電線群４をこの両側から挟み込むような位置に取り付けられている。ノズル９の先端近傍には、挟み込む電線群４に対向する吐出口２４が形成されている。ノズル９は、撓み可能な形状に形成されている（剛体であっても良いものとする）。
【００２５】
第２プレート８は、この表裏面となる上面及び下面が平坦な面となるように形成されている。また、第２プレート８は、帯板形状で十分な剛性を有するように形成されている。このような第２プレート８は、第１プレート７に対向するように配置されている。第２プレート８には、第１プレート７が摺動する一対のガイドピン２２が固定されている。
【００２６】
押し出し機構１０は、第２プレート８の位置を固定する固定部２５と、第１プレート７を第２プレート８に対して近づけたり離したりするプレート駆動部（図示省略。例えば、第１プレート７を所定のスピードで第２プレート８に対し近づけることができればよいものとする）とを備えて構成されている。尚、押し出し機構１０に関しては、装置全体を制御する制御部（図示省略）によって例えば制御されるものとする。
【００２７】
次に、上記構成に基づいて、本発明に係る防水処理方法について説明する。本発明に係る防水処理方法は、以下で説明する第１工程〜第３工程を含んでいる。
【００２８】
第１工程では、図２に示されるような電線群４を形成する作業を行う。電線群４を形成した後の第２工程では、幾つかの作業を順に行う。先ず、図３に示されるような止水剤充填装置２６（例えばペールポンプがこれに相当する）を用いて、シリンジ１１内に止水剤３を充填する作業を行う。これが１つ目の作業となる。止水剤充填装置２６は、シリンジ１１内に、対応する電線群４に必要な量だけの止水剤３を充填することができるようになっている。シリンジ１１内に止水剤３が充填されると、これに伴ってピストン１２が止水剤３の充填方向へ移動する。尚、図３中の引用符号２７はバルブを示している。
【００２９】
シリンジ１１内に必要な量だけの止水剤３を充填した後、ディスペンサ２のノズル１５先端に、図４に示されるような硬化防止キャップ２８を取り付ける作業を行う。これが２つ目の作業となる。硬化防止キャップ２８は、ディスペンサ２を第１プレート７に装着するまでの間必要となる。ディスペンサ２の準備が完了すると、このディスペンサ２を図５に示されるような状態で第１プレート７に装着する作業を行う。これが３つ目の作業となる。その後、図６に示されるような状態で第２プレート８を取り付けるとともに、ノズル９を電線群４に対して配置する作業を行う。これが４つ目の作業となる。シリンジ１１内に止水剤３を充填したディスペンサ２は、第１プレート７及び第２プレート８によって挟み込まれる。
【００３０】
第３工程では、図１に示されるように第１プレート７を移動させ、シリンジ１１内の止水剤３を押し出す作業を行う。ノズル９の吐出口２４からは止水剤５が吐出され、これによって第３工程で準備したシート材２９上の電線群４の両側に止水剤５が均一且つむらなく塗布される（図７参照）。第３工程では、止水剤５を塗布した電線群４をシート材２９と共に丸めて束ねる作業を行う。これにより図８に示されるような防水処理を施したワイヤハーネス３０が形成される。
【００３１】
以上、図１ないし図８を参照しながら説明してきたように、本発明によれば、上記構成及び構造であることから従来に比べて装置全体の小型化を図ることができる。また、止水剤５を均一且つむらなく塗布することができる。
【００３２】
その他、本発明は本発明の主旨を変えない範囲で種々変更実施可能なことは勿論である。
【図面の簡単な説明】
【００３３】
【図１】本発明のワイヤハーネスの防水処理方法及び防水処理装置の一実施の形態を示す模式的な説明図である。
【図２】電線群を形成した状態の模式的な説明図である。
【図３】シリンジ内に止水剤を充填している途中状態の模式的な説明図である。
【図４】ディスペンサの模式的な説明図である。
【図５】ディスペンサを第１プレートに取り付けた状態の模式的な説明図である。
【図６】ディスペンサを第１プレートと第２プレートとの間に挟み込むとともに、ノズルを電線群に対してセットした状態の模式的な説明図である。
【図７】電線群に止水剤を塗布した状態の模式的な説明図である。
【図８】防水処理を施したワイヤハーネスの模式的な説明図である。
【符号の説明】
【００３４】
１  防水処理装置
２  ディスペンサ
３、５  止水剤
４  電線群
６  止水剤塗布機構
７  第１プレート
８  第２プレート
９  ノズル
１０  押し出し機構
１１  シリンジ
１２  ピストン
１３  一方の端面
１４  他方の端面
１５  ノズル
１６  内側環状部
１７  外側環状部
１８  連結軸部
１９  電線
２０  貫通孔
２１  ディスペンサ装着部
２２  ガイドピン
２３  ゴムパッキン
２４  吐出口
２５  固定部
２６  止水剤充填装置
２７  バルブ
２８  硬化防止キャップ
２９  シート材
３０  ワイヤハーネス
【図１】
2006202508.tif 000003
【図２】
2006202508.tif 000004
【図３】
2006202508.tif 000005
【図４】
2006202508.tif 000006
【図５】
2006202508.tif 000007
【図６】
2006202508.tif 000008
【図７】
2006202508.tif 000009
【図８】
2006202508.tif 000010